(57)【要約】【課題】  演奏者への負担の少ない楽器用ストラップを提供する。【解決手段】  本楽器用ストラップ４００は、楽器演奏者の頸部の後側に掛けられる首掛け帯４０１と、前記頸部の左右からそれぞれ前側に延びた首掛け帯４０１の両端に接続され、首掛け帯４０１と楽器とを連結する楽器連結具４１０と、前記頸部の右側から前方へと延びた首掛け帯４０１の右側部分と、前記頸部の左側から前方へと延びた首掛け帯４０１の左側部分とが近接することを防止して、前記右側部分と前記左側部分との間隔を保持する間隔保持部材４２０とを備えている。前記間隔保持部材は、前記首掛け帯の右側端部より前記頸部よりの途中部分に係止される第１係止部と、前記首掛け帯の左側端部より前記頸部よりの途中部分に係止される第２係止部とを備え、前記第１係止部と前記第２係止部とが所定の間隔を隔てている。【選択図】    図１０
2008304936.tif 000002
【特許請求の範囲】
【請求項１】
楽器演奏者の頸部の後側に掛けられる首掛け帯と、
前記頸部の左右からそれぞれ前側に延びた前記首掛け帯の両端に接続され、前記首掛け帯と楽器とを連結する楽器連結具と、
前記頸部の右側から前方へと延びた前記首掛け帯の右側部分と、前記頸部の左側から前方へと延びた前記首掛け帯の左側部分とが近接することを防止して、前記右側部分と前記左側部分との間隔を保持する間隔保持部材とを備え、
前記間隔保持部材は、前記首掛け帯の右側端部より前記頸部よりの途中部分に係止される第１係止部と、前記首掛け帯の左側端部より前記頸部よりの途中部分に係止される第２係止部とを備え、前記第１係止部と前記第２係止部とが所定の間隔を隔てており、前記第１係止部が前記首掛け帯の右側部分に沿って位置を調節可能であり、前記第２係止部が前記首掛け帯の左側部分に沿って位置を調節可能に構成されている楽器用ストラップ。
【請求項２】
前記間隔保持部材は、針金状の金属により構成されている請求項１に記載の楽器用ストラップ。
【請求項３】
前記第１係止部は、環状部と、当該環状部の上下方向中央に設けられた横長の棒状部とを備え、前記首掛け帯の右側部分が前記環状部と前記棒状部との間を通されて前記棒状部に掛けられるように構成されており、
前記第２係止部は、環状部と、当該環状部の上下方向中央に設けられた横長の棒状部とを備え、前記首掛け帯の左側部分が前記環状部と前記棒状部との間を通されて前記棒状部に掛けられるように構成されている請求項１又は２に記載の楽器用ストラップ。
【発明の詳細な説明】
【技術分野】
【０００１】
本発明は、楽器を取り付けるための楽器用ストラップに関し、特にサックス等の楽器を吊り下げるための楽器用ストラップに関する。
【背景技術】
【０００２】
従来この種の楽器用ストラップとしては、種々のものが提案されている。これを大別すると、首から吊り下げる『ネック型ストラップ』、一方の肩から吊り下げる『ショルダー型ストラップ』、さらには、両肩から吊り下げる『ハーネス型ストラップ』がある。
【０００３】
例えば、特許文献１には、ショルダー型ストラップが開示されている。このショルダー型ストラップは、片側ストラップを腹部のベルトで固定するように構成されている。このショルダー型ストラップによれば、演奏者の首にかかる負荷を軽減することができる。
【０００４】
また、特許文献２には、ハーネス型ストラップが開示されている。このハーネス型ストラップの場合も、同様に演奏者の首にかかる負荷を軽減することができるという利点が認められる。
【特許文献１】実用新案登録第３０９５３６２号公報
【特許文献２】実開平５−７１８９６号公報
【発明の開示】
【発明が解決しようとする課題】
【０００５】
しかしながら、『ネック型ストラップ』は、紐を首に掛けた状態で重量のある楽器を吊り金具に吊り下げるので、楽器の全重量が首に集中すると言う欠点がある。したがって、演奏者は自然と前屈みの状態となり、首が痛くなるだけではなく、肺も圧迫され、呼吸がしにくいという問題点がある。さらには首の筋肉の緊張を余儀なくされ、そのことは、喉を締め付ける結果となり、肩や顔の筋肉の緊張をも引き起こし、音質・音色が犠牲になる。
【０００６】
また、肩から吊り下げる『ショルダー型ストラップ』は、楽器重量を肩で支えることから、首にかかる楽器重量から開放されるが、楽器が傾斜した状態で支持されることから安定せず、無理な姿勢による演奏となる欠点を有する。
【０００７】
さらに、胸部を前後から強く圧迫する為、完全に開放された状態から程遠く、呼吸がしにくく、音質・音色が犠牲になる。
【０００８】
そして、『ハーネス型ストラップ』は、両肩に荷重を分散させるが、両肩、胸部または腹部を四方から縛り付けることになり微妙な動作を困難にし、演奏に影響することを避け得ない。また、胸部あるいは腹部を前後から挟持することから、呼吸への影響を避けることが出来なく、やはり音質・音色が犠牲となる。
【０００９】
また、特許文献１に開示されているショルダー型ストラップの場合、腹部をベルトのような形で固定している為に、腹部の圧迫があり、しかも安定性にかける。
【００１０】
さらに、特許文献２に開示されているハーネス型ストラップの場合も、紐が両腋の下から体の前面へ出る仕組みになっているため、胸部への圧迫が避けられない。その上、両肩の紐が固定されておらず、紐がずり落ちてくる可能性があり安定性に欠ける。
【００１１】
本発明は、前述の諸点に鑑みなされたもので、その目的は、演奏者への負担の少ない楽器用ストラップを提供することにある。また、もう一つの目的は、演奏中に自由な演奏動作を確保し、音質・音色の向上が期待できうる楽器用ストラップを提供することにある。
【課題を解決するための手段】
【００１２】
第１の観点に係る楽器用ストラップは、楽器演奏者の頸部の後側に掛けられる首掛け帯と、前記頸部の左右からそれぞれ前側に延びた前記首掛け帯の両端に接続され、前記首掛け帯と楽器とを連結する楽器連結具と、前記頸部の右側から前方へと延びた前記首掛け帯の右側部分と、前記頸部の左側から前方へと延びた前記首掛け帯の左側部分とが近接することを防止して、前記右側部分と前記左側部分との間隔を保持する間隔保持部材とを備え、前記間隔保持部材は、前記首掛け帯の右側端部より前記頸部よりの途中部分に係止される第１係止部と、前記首掛け帯の左側端部より前記頸部よりの途中部分に係止される第２係止部とを備え、前記第１係止部と前記第２係止部とが所定の間隔を隔てており、前記第１係止部が前記首掛け帯の右側部分に沿って位置を調節可能であり、前記第２係止部が前記首掛け帯の左側部分に沿って位置を調節可能に構成されていることを特徴とする。
【００１３】
本発明の上記目的、他の目的、特徴、及び利点は、添付図面参照の下、以下の好適な実施態様の詳細な説明から明らかにされる。
【発明の効果】
【００１４】
本発明の楽器用ストラップによれば、楽器の荷重が演奏者の肩部に分散され、頸部（首）を締め付けることがなく、首にかかる負担が軽減される。また胸を締め付けないことから、演奏者への負担が減少し、無理な姿勢から開放され、楽な呼吸を達成することが可能となり、音質・音色の向上が期待できる等極めて効果の大きいものである。
また、演奏時における自由な演奏動作を確保できる。
【発明を実施するための最良の形態】
【００１５】
以下、本発明の実施の形態について、図面を参照しながら説明する。
【００１６】
（実施の形態１）
図１は、実施の形態１に係る楽器連結具が備える平板の平面図であり、図２は、その正面図である。実施の形態１に係る楽器連結具１０は、平板１の中央近傍に一対の突起２を設け、平板１の両端に、ストラップと連結する連結部３を有する構成のものである。
【００１７】
平板１は、ストラップに連結して使用する際に、その形状が保持できる程度の強度を有するものである。その形状を有する程度の強度を有するものであれば、何でもよいが、例えば、金属板やプラスチックなどを使用することが可能である。
【００１８】
また、平板１の耐加重が５ｋｇ以上のものを使用することにより、より長時間の演奏においても演奏者への負担が減り、大型の楽器を使用する際には、特に好ましい。
【００１９】
さらに、平板１の形状は、扁平でも、図２のように中央部を少し折り曲げたものでもよい。
【００２０】
突起２は、連結具に楽器を取り付ける際の楽器取り付けフック５（図５参照）が、所定位置より容易に移動しないためのものである。突起２の取り付け位置は、演奏者および楽器の種類により、適宜選定すればよいが、自由な演奏を妨げない程度に、楽器取り付けフックの位置を固定するとよい。
【００２１】
次に、実施の形態１に係る楽器用ストラップの構成について説明する。図５は、本実施の形態に係る楽器用ストラップの構成を示す斜視図である。図５に示すように、楽器用ストラップ１００は、楽器演奏者の頸部の後側に掛けられる首掛け帯１０１と、楽器演奏者の背中から腹部へと掛けられる補助帯１０２とを備えている。首掛け帯１０１は、楽器演奏者の右肩に掛けられる右側帯部１０３と、楽器演奏者の左肩に掛けられる左側帯部１０４とを備えている。右側帯部１０３は、上部帯部１０３ａと、この上部帯部１０３ａから延ばされた下部帯部１０３ｂとから構成されており、左側帯部１０４は、上部帯部１０４ａと、この上部帯部１０４ａから延ばされた下部帯部１０４ｂとから構成されている。２つの上部帯部１０３ａ、１０４ａは三角環状の留め具１０５によって連結されている。さらに詳しく説明すると、右肩用の上部帯部１０３ａの一端が留め具１０５の一辺に取り付けられ、左肩用の上部帯部１０４ａの一端が留め具１０５の他の一辺に取り付けられている。これによって右肩用の上部帯部１０３ａと左肩用の上部帯部１０４ａとが、留め具１０５の二辺間の角度に応じた角度を隔てて左右へそれぞれ延びている。上部帯部１０３ａおよび１０４ａは、楽器演奏者の頸部および肩部に当接したときに楽器演奏者が痛みを感じることがないように、柔軟な皮革によってスポンジが覆われた構成となっている。
【００２２】
楽器用ストラップ１００は、留め具１０５が楽器演奏者の背中に位置するようにして楽器演奏者に装着される。右肩用の上部帯部１０３ａは、楽器演奏者の頸部後側から右肩を通って前側へと掛けられ、左肩用の上部帯部１０４ａは、楽器演奏者の頸部後側から左肩を通って前側へと掛けられる。上部帯部１０３ａおよび１０４ａは、装着状態においてそれぞれ楽器演奏者の鎖骨付近の位置で終端している。上部帯部１０３ａおよび１０４ａの前側端部からは、これらの上部帯部１０３ａおよび１０４ａよりも細い下部帯部１０３ｂ、１０４ｂがそれぞれ延びている。下部帯部１０３ｂ、１０４ｂは、上部帯部１０３ａ、１０４ａには一端だけが接続されており、他端側は途中で折り返されて、長さ調節に用いられる調節金具１０３ｃ、１０４ｃに係止されている。調節金具１０３ｃ、１０４ｃにより、下部帯部１０３ｂ、１０４ｂの折り返しの長さを調節することができ、これにより、下部帯部１０３ｂ、１０４ｂの長さをそれぞれ調節することができる。また、右側の下部帯部１０３ｂの折り返された端部は、楽器連結具１０の平板１の右端に支持環６を介して接続され、左側の下部帯部１０４ｂの折り返された端部は、平板１の左端に支持環６を介して接続されている。
【００２３】
前述したように、留め具１０５の一辺には右肩用の上部帯部１０３ａが取り付けられており、他の一辺には左肩用の上部帯部１０４ａが取り付けられている。そして、留め具１０５の残りの一辺には、補助帯１０２の一端が取り付けられている。補助帯１０２は、留め具１０５に取り付けられた上部帯部１０２ａと、上部帯部１０２ａの先端から延びた下部帯部１０２ｂとによって構成されている。上部帯部１０２ａは、上部帯部１０３ａおよび１０４ａと同様に、クッション性を確保するために、柔軟な皮革によってスポンジが覆われた構成となっている。また、下部帯部１０２ｂは、上部帯部１０２ａよりも幅の狭い帯であり、その先端が楽器連結具１０の平板１の左端に支持環６を介して接続されている。
【００２４】
楽器連結具１０は、一方向に長い平板１と、平板１の中間部分に取り付けられた楽器取り付けフック５とを備えている。平板１は、図１に示すように、両端に首掛け帯１０１の接続に用いられる穴３を有している。また、平板１の中央から若干両端側に寄った２つの位置にはそれぞれ半球状の突起２が設けられている（図２参照）。平板１の２つの突起２の間の部分には、楽器取り付けフック５の取付リング５１が取り付けられている。２つの突起２の間隔は、取付リング５１の幅よりも広く、取付リング５１は、２つの突起２の間を自由に移動することが可能である。また、取付リング５１が突起２に当接することによって突起２が取付リング５１のストッパの役割を果たし、取付リング５１が突起２を超えて移動することは防止される。また、突起２はゴム製であり、取付リング５１が突起２に当接した場合に音が生じないように構成されている。楽器取り付けフック５は、楽器（サクソフォーン）に係合されるフック部５２を有しており、このフック部５２をサクソフォーンに設けられたつり環に係合させることにより、楽器用ストラップ１００にサクソフォーンを連結することができる。
【００２５】
また、平板１は、図２に示すように中央において少し折り曲げられており、中央から両端へ向かうに従って高くなるように、実質的にＶ字状に形成されている。従って、楽器取り付けフック５は、サクソフォーンが取り付けられた状態のときには、サクソフォーンの重量によって中央の一番低い位置に安定して位置することとなる。その一方で、楽器取り付けフック５は平板１の中央に固定されているわけではなく、上述したように２つの突起２の間で楽器取り付けフック５を移動させることが可能であるため、楽器演奏者がサクソフォーンを左右に移動させたい場合は、前記２つの突起２の間で自由に移動させることができる。
【００２６】
図６は、実施の形態１に係る楽器用ストラップを楽器演奏者に装着したときの状態を模式的に説明する正面図であり、図７は、その背面図である。楽器演奏者がかかる楽器用ストラップ１００を使用する場合には、楽器演奏者は、背中に留め具１０５が位置し、右肩用の上部帯部１０３ａと左肩用の上部帯部１０４ａの間に楽器演奏者の頸部が位置し、楽器連結具１０が体の前側（つまり胸部または腹部）に位置するように楽器用ストラップ１００を装着する。このとき、頸部右側に右肩用の上部帯部１０３ａが位置し、頸部左側に左肩用の上部帯部１０４ａが位置することとなる。また、補助帯１０２が、楽器演奏者の背中から腹部左側を通るように配置される。そして、楽器取り付けフック５のフック部５２にサクソフォーンのつり環（図示せず）が係合される。
【００２７】
従来のネック型ストラップの場合では、装着した当初には楽器演奏者の首の付け根部分に首掛け帯が掛かる状態であっても、楽器の重量により楽器に接続された首掛け帯の両端が下方向へ引っ張られ、これによって楽器演奏者の前側に位置する首掛け帯の左右の部分（Ｖ字状の部分）に前記左右の部分の間隔を狭めるような（Ｖ字の角度が小さくなるような）内向きの力が作用する。そして、楽器演奏者の胸の前側において首掛け帯の左右の部分の間隔を確保する部材が存在しないため、楽器演奏者の動きにより、首の付け根よりも太さの小さい首の上方へと首掛け帯が徐々に移動し、実質的に頸部のみで楽器を支持する姿勢となっていた。このため、楽器演奏者の頸部にかかる負担が大きく、姿勢が前屈みとなって肺を圧迫し、音質や音色が悪化するなど演奏に支障を来していた。一方、本実施の形態に係る楽器用ストラップ１００では、楽器演奏者の胸の前側において首掛け帯１０１の左右の部分の間隔を広く確保する平板１が設けられていることによって、首掛け帯１０１の左右の部分の間隔が保持され、首掛け帯１０１が首の付け根から上方へと移動することが抑制される。従って、演奏者の頸部への負担が軽減される。
【００２８】
また、平板１の長さは１４０ｍｍとされており、つまり首掛け帯１０１の左右の部分の間隔を約１４０ｍｍに保持するようになっている。前述したように、ネック型ストラップでは、首掛け帯の左右の部分に内向きの力が作用するが、本実施の形態１に係る楽器用ストラップ１００では、平板１によって首掛け帯１０１の左右の部分が近接することが妨げられ、首掛け帯１０１の左右の部分の間隔が、平板１の長さである約１４０ｍｍに維持される。この平板１の長さは、標準的な体格の楽器演奏者が楽器用ストラップ１００を装着したときに、右側帯部１０３の楽器演奏者の右肩から前側に垂れる部分と、左側帯部１０４の楽器演奏者の左肩から前側に垂れる部分とが実質的に平行になるサイズである。つまり、楽器演奏者の頸部の右側から前方へと延びた首掛け帯１０１の右側部分と、頸部の左側から前方へと延びた首掛け帯１０１の左側部分とが、それぞれ鉛直方向に延びることとなる。このように、首掛け帯１０１の前記右側部分と前記左側部分とが、鉛直方向に延びることにより、楽器の重量によって首掛け帯１０１の右側部分および左側部分のそれぞれにおいて長手方向（鉛直方向）に力が作用し、内向きの力が生じることが防止されるため、首掛け帯１０１が首の付け根から上方へと移動することを抑制する効果がさらに向上する。
【００２９】
また、取り付けられたサクソフォーンの重量により、楽器連結具１０には下向きの力が作用し、これによって首掛け帯１０１の前端側が下方向へ引っ張られる。これと共に、楽器連結具１０に接続された補助帯１０２も下方向へ引っ張られる。従って、上記のような補助帯１０２を設けることによって、補助帯１０２により首掛け帯１０１が楽器演奏者の背中側から引っ張られることとなり、首掛け帯１０１が首の付け根から上方へ移動することがより一層防止され、楽器演奏者の頸部にかかる負担をより一層軽減することができる。この結果、楽器演奏者の演奏姿勢が前屈みとなることが防止され、楽器演奏者の肺が圧迫されることが防止される。
【００３０】
また、楽器演奏者は、左右の下部帯部１０３ｂ、１０４ｂの長さを適宜調節し、楽器の上下方向の位置を調節することができる。これによって、楽器演奏者にとって最適な高さに楽器の位置を調節することができる。
【００３１】
（実施の形態２）
図８は、実施の形態２に係る楽器用ストラップ２００の構成を示す斜視図である。図８に示すように、実施の形態２に係る楽器用ストラップ２００は、楽器演奏者の頸部の後側に掛けられる首掛け帯２０１と、実施の形態１と同様の構成の楽器連結具２１０とを備えている。
【００３２】
首掛け帯２０１は、一本の帯の上部帯部２０１ａと、上部帯部２０１ａの両端に接続された２つの下部帯部２０１ｂ、２０１ｃとを備えている。上部帯部２０１ａは、その中央部分が楽器演奏者の頸部後側に配置され、一端側が楽器演奏者の頸部後側から右肩を通って前側へと掛けられ、他端側が頸部後側から左肩を通って前側へと掛けられる。かかる上部帯部２０１ａは、その幅が全長に渡って実質的に均一な帯状部材であり、立体裁断により、楽器演奏者の身体に接触する側の面（以下、裏面という）２０３が楽器演奏者の頸部後側、肩部及び胸部に密着するような３次元的形状とされている。上部帯部２０１ａの右側部分および左側部分は、装着状態においてそれぞれ楽器演奏者の鎖骨付近の位置で終端している。上部帯部２０１ａの両端からは、上部帯部２０１ａよりも細い下部帯部２０１ｂ、２０１ｃがそれぞれ延びている。なお、下部帯部２０１ｂ、２０１ｃの構成は、実施の形態１で説明した下部帯部１０３ｂ、１０４ｂの構成と同様であるので、その説明を省略する。また、上部帯部２０１ａは、楽器演奏者の頸部および肩部に当接したときに楽器演奏者が痛みを感じることがないように、柔軟な皮革によってスポンジが覆われた構成となっている。
【００３３】
右側の下部帯部２０１ｂの先端部は、楽器連結具２１０が備える平板１の右端に支持環６を介して接続され、左側の下部帯部２０１ｃの先端部は、平板１の左端に支持環６を介して接続されている。なお、楽器連結具２１０の構成は、実施の形態１で説明した楽器連結具１０の構成と同様であるので、同一構成要素については同一符号を付し、その説明を省略する。
【００３４】
楽器演奏者がかかる楽器用ストラップ２００を使用する場合には、楽器演奏者は、背中（頸部の後側）に首掛け帯２０１の中央が位置し、首掛け帯２０１の右側部分が楽器演奏者の頸部右側から前方へ延び、首掛け帯２０１の左側部分が楽器演奏者の頸部左側から前方へ延び、楽器連結具２１０が体の前側（つまり胸部または腹部）に位置するように楽器用ストラップ２００を装着する。そして、楽器取り付けフック５のフック部５２にサクソフォーンのつり環（図示せず）が係合される。
【００３５】
上記のような構成とすることにより、実施の形態１と同様に、本実施の形態に係る楽器用ストラップ２００では、楽器演奏者の胸の前側において首掛け帯２０１の左右の部分の間隔を広く確保する平板１が設けられていることによって、首掛け帯２０１の左右の部分の間隔が保持され、首掛け帯２０１が首の付け根から上方へと移動することが抑制される。従って、演奏者の頸部への負担が軽減される。
また、楽器演奏者は、左右の下部帯部２０１ｂ、２０１ｃの長さを適宜調節し、楽器の上下方向の位置を調節することができる。これによって、楽器演奏者にとって最適な高さに楽器の位置を調節することができる。
【００３６】
（実施の形態３）
図９は、実施の形態３に係る楽器用ストラップ３００の構成を示す斜視図である。図９に示すように、実施の形態３に係る楽器用ストラップ３００は、楽器演奏者の頸部の後側に掛けられる首掛け帯３０１と、楽器演奏者の背中から腹部へと掛けられる補助帯３０２と、首掛け帯３０１を楽器（サクソフォーン）と連結する楽器連結具３１０とを備えている。
【００３７】
首掛け帯３０１は、楽器演奏者の右肩に掛けられる右側帯部３０３と、楽器演奏者の左肩に掛けられる左側帯部３０４とを備えている。右側帯部３０３は、上部帯部３０３ａと、この上部帯部３０３ａから延ばされた下部帯部３０３ｂとから構成されており、左側帯部３０４は、上部帯部３０４ａと、この上部帯部３０４ａから延ばされた下部帯部３０４ｂとから構成されている。２つの上部帯部３０３ａ、３０４ａは三角環状の留め具３０５によって連結されている。上部帯部３０３ａおよび３０４ａ、並びに留め具３０５の構成は、実施の形態１で説明した上部帯部１０３ａおよび１０４ａ、並びに留め具１０５の構成と同様であるので、その説明を省略する。また、上部帯部３０３ａ、３０４ａおよび補助帯３０２が留め具３０５に接続される態様は、実施の形態１で説明した上部帯部１０３ａ、１０４ａおよび補助帯１０２が留め具１０５に接続される態様と同様であるので、その説明を省略する。
【００３８】
右側帯部３０３の上部帯部３０３ａの先端からは、上部帯部３０３ａより細い下部帯部３０３ｂが延びている。また、左側帯部３０４の上部帯部３０４ａの先端からは、上部帯部３０４ａより細い下部帯部３０４ｂが延びている。なお、下部帯部３０３ｂ、３０４ｂの構成は、実施の形態１で説明した下部帯部１０３ｂ、１０４ｂの構成と同様であるので、その説明を省略する。
【００３９】
補助帯３０２は、留め具３０５に取り付けられた上部帯部３０２ａと、上部帯部３０２ａの先端から延びた下部帯部３０２ｂと、楽器連結具３１０に接続するためのフック部３０２ｃとによって構成されている。なお、上部帯部３０２ａの構成は、実施の形態１で説明した上部帯部１０２ａの構成と同様であるので、その説明を省略する。下部帯部３０２ｂは、上部帯部３０２ａには一端だけが接続されており、他端側は途中で折り返されて、長さ調節に用いられる調節金具３０２ｄに係止されている。調節金具３０２ｄにより、下部帯部３０２ｂの折り返しの長さを調節することができ、これにより、下部帯部３０２ｂの長さを調節することができる。また、下部帯部３０２ｂの折り返された端部には、接続金具３０２ｅを介してフック部３０２ｃが接続されている。
【００４０】
ここで、本実施の形態３に係る楽器連結具３１０について詳細に説明する。図９に示すように、楽器連結具３１０は、首掛け帯３０１の右側部分と左側部分との間隔を保持するための間隔保持部材３１１と、長さを調節するための長さ調節部３１２と、サクソフォーンに連結される楽器取り付けフック３１３とを備えている。間隔保持部材３１１は、針金状の金属により構成されている。間隔保持部材３１１の両端は、環状に湾曲され、環状部３１１ａ、３１１ｂが形成されている。右側の環状部３１１ａには、右側帯部３０３の下部帯部３０３ｂの先端が取り付けられており、左側の環状部３１１ｂには、左側帯部３０４の下部帯部３０４ｂの先端が取り付けられている。これによって、首掛け帯３０１と間隔保持部材３１１とが連結される。また、間隔保持部材３１１の中央部分には、環状のアジャスタ取付部３１１ｃが設けられており、このアジャスタ取付部３１１ｃに長さ調節部３１２が取り付けられている。長さ調節部３１２は、布製の第１帯部３１２ａと、取付金具３１２ｂと、布製の第２帯部３１２ｃと、長さ調節に用いられる調節金具３１２ｄとを有している。第１帯部３１２ａは、前述した間隔保持部材３１１のアジャスタ取付部３１１ｃに接続されている。第１帯部３１２ａの幅は、アジャスタ取付部３１１ｃの幅よりも若干小さく、このため長さ調節部３１２は間隔保持部３１１に対して横方向へ殆ど移動することができない、すなわち、間隔保持部３１１の中央に位置するようになっている。
【００４１】
第１帯部３１２ａの下端には環状の取付金具３１２ｂが取り付けられている。この取付金具には、前述した補助帯３０２のフック部３０２ｃが係合される。また、取付金具３１２ｂには、第２帯部３１２ｃの一端が接続されている。第２帯部３１２ｃは、取付金具３１２ｂには一端だけが接続されており、他端側は途中で折り返されて、長さ調節に用いられる調節金具３１２ｄに係止されている。調節金具３１２ｄにより、第２帯部３１２ｃの折り返しの長さを調節することができ、これにより、第２帯部３１２ｃの長さを調節することができる。また、第２帯部３１２ｃの折り返された端部には、楽器取り付けフック３１３の基端部分が接続されている。
【００４２】
楽器演奏者がかかる楽器用ストラップ３００を使用する場合には、楽器演奏者は、背中に留め具３０５が位置し、右肩用の上部帯部３０３ａと左肩用の上部帯部３０４ａの間に楽器演奏者の頸部が位置し、楽器連結具３１０が体の前側（つまり胸部または腹部）に位置するように楽器用ストラップ３００を装着する。このとき、頸部右側に右肩用の上部帯部３０３ａが位置し、頸部左側に左肩用の上部帯部３０４ａが位置することとなる。また、補助帯３０２が、楽器演奏者の背中から腹部左側を通るように配置される。そして、楽器取り付けフック３１３にサクソフォーンのつり環（図示せず）が係合される。
【００４３】
本実施の形態に係る楽器用ストラップ３００では、楽器演奏者の胸の前側において首掛け帯３０１の左右の部分の間隔を広く確保する間隔保持部材３１１が設けられていることによって、首掛け帯３０１の左右の部分の間隔が保持され、首掛け帯３０１が首の付け根から上方へと移動することが抑制される。従って、演奏者の頸部への負担が軽減される。
【００４４】
また、間隔保持部材３１１の長さは１４０ｍｍとされており、首掛け帯３０１の左右前側の部分の間隔を約１４０ｍｍに保持するようになっている。本実施の形態３に係る楽器用ストラップ３００では、間隔保持部材３１１によって首掛け帯３０１の左右の部分が近接することが妨げられ、首掛け帯３０１の左右前側の部分の間隔が、間隔保持部材３１１の長さである約１４０ｍｍに維持される。この間隔保持部材３１１の長さは、標準的な体格の楽器演奏者が楽器用ストラップ３００を装着したときに、右側帯部３０３の楽器演奏者の右肩から前側に垂れる部分と、左側帯部３０４の楽器演奏者の左肩から前側に垂れる部分とが実質的に平行になるサイズである。つまり、楽器演奏者の頸部の右側から前方へと延びた首掛け帯３０１の右側部分と、頸部の左側から前方へと延びた首掛け帯３０１の左側部分とが、それぞれ鉛直方向に延びることとなる。このように、首掛け帯３０１の前記右側部分と前記左側部分とが、鉛直方向に延びることにより、楽器の重量によって首掛け帯３０１の右側部分および左側部分のそれぞれにおいて長手方向（鉛直方向）に力が作用し、内向きの力が生じることが防止されるため、首掛け帯３０１が首の付け根から上方へと移動することを抑制する効果がさらに向上する。
【００４５】
また、取り付けられたサクソフォーンの重量により、楽器連結具３１０には下向きの力が作用し、これによって首掛け帯３０１の前端側が下方向へ引っ張られる。これと共に、長さ調節部３１２に接続された補助帯３０２も下方向へ引っ張られる。従って、上記のような補助帯３０２を設けることによって、補助帯３０２により首掛け帯３０１が楽器演奏者の背中側から引っ張られることとなり、首掛け帯３０１が首の付け根から上方へ移動することがより一層防止され、楽器演奏者の頸部にかかる負担をより一層軽減することができる。この結果、楽器演奏者の演奏姿勢が前屈みとなることが防止され、楽器演奏者の肺が圧迫されることが防止される。
【００４６】
また、楽器演奏者は、間隔保持部材３１１の下方に設けられた長さ調節部３１２の長さを適宜調節し、楽器の上下方向の位置を調節することができる。これによって、楽器演奏者にとって最適な高さに楽器の位置を調節することができる。しかも、首掛け帯の左右の両側部分に長さ調節部を設ける場合では、２つの長さ調節部の長さをそれぞれ調節する必要があったのに比べ、実施の形態３に係る楽器用ストラップ３００では、一つの長さ調節部３１２の長さを調節するだけで楽器の上下方向の位置を容易に調節することができ、楽器演奏者の利便性が向上する。
【００４７】
さらに、楽器演奏者は、補助帯３０２に設けられた下部帯部３０２ｂの長さを調節することにより、補助帯３０２の長さを適宜調節することができる。つまり、補助帯３０２の長さを短くすると、留め具３０５が下方に位置し、補助帯３０２の長さを長くすると、留め具３０５が上方に位置するため、補助帯３０２の長さを適切に調節することにより、楽器演奏者にとって最適な位置（最も楽器の重量を支えやすい位置）に首掛け帯３０１を配置することができる。
【００４８】
（実施の形態４）
図１０は、実施の形態４に係る楽器用ストラップ４００の構成を示す斜視図である。図１０に示すように、実施の形態４に係る楽器用ストラップ４００は、楽器演奏者の頸部の後側に掛けられる首掛け帯４０１と、楽器演奏者の背中から腹部へと掛けられる補助帯４０２と、首掛け帯４０１を楽器（サクソフォーン）と連結する楽器連結具４１０と、楽器演奏者の頸部の右側から前方へと延びた首掛け帯４０１の右側部分と、頸部の左側から前方へと延びた首掛け帯４０１の左側部分との間隔を保持する間隔保持部材４２０とを備えている。
【００４９】
首掛け帯４０１は、楽器演奏者の右肩に掛けられる右側帯部４０３と、楽器演奏者の左肩に掛けられる左側帯部４０４とを備えている。右側帯部４０３は、上部帯部４０３ａと、この上部帯部４０３ａから延ばされた下部帯部４０３ｂとから構成されており、左側帯部４０４は、上部帯部４０４ａと、この上部帯部４０４ａから延ばされた下部帯部４０４ｂとから構成されている。２つの上部帯部４０３ａ、４０４ａは三角環状の留め具４０５によって連結されている。上部帯部４０３ａおよび４０４ａ、並びに留め具４０５の構成は、実施の形態１で説明した上部帯部１０３ａおよび１０４ａ、並びに留め具１０５の構成と同様であるので、その説明を省略する。また、上部帯部４０３ａ、４０４ａおよび補助帯４０２が留め具４０５に接続される態様は、実施の形態１で説明した上部帯部１０３ａ、１０４ａおよび補助帯１０２が留め具１０５に接続される態様と同様であるので、その説明を省略する。
【００５０】
右側帯部４０３の上部帯部４０３ａの先端からは、上部帯部４０３ａより細い下部帯部４０３ｂが延びている。また、左側帯部４０４の上部帯部４０４ａの先端からは、上部帯部４０４ａより細い下部帯部４０４ｂが延びている。下部帯部４０３ｂ、４０４ｂは、それぞれ先端が折り返されて環状に形成されている。そして、右側の下部帯部４０３ｂの折り返された端部および左側の下部帯部４０４ｂの折り返された端部は、それぞれ楽器連結具４１０に接続されている。
【００５１】
図１０に示すように、楽器連結具４１０は、長さを調節するための長さ調節部４１２と、サクソフォーンに連結される楽器取り付けフック４１３とを備えている。首掛け帯４０１の下部帯部４０３ｂの先端および下部帯部４０４ｂの先端は、環状の取付金具４１１に接続されている。また、この取付金具４１１には、長さ調節部４１２の第１帯部４１２ａが接続されている。長さ調節部４１２および楽器取り付けフック４１３の構成は、実施の形態３で説明した長さ調節部３１２および楽器取り付けフック３１３の構成と同様であるので、その説明を省略する。また、補助帯４０２の構成も、実施の形態３で説明した補助帯３０２の構成と同様であるので、その説明を省略する。
【００５２】
本実施の形態４に係る楽器用ストラップ４００は、楽器演奏者の頸部の右側から前方へと延びた首掛け帯４０１の右側部分と、頸部の左側から前方へと延びた首掛け帯４０１の左側部分とが近接することを防止して、前記右側部分と前記左側部分との間隔を保持する間隔保持部材４２０を楽器連結具４１０とは別に備えている。図１１は、実施の形態４に係る間隔保持部材の構成を示す正面図である。図１１に示すように、間隔保持部材４２０は、細長い針金状の金属により構成されている。間隔保持部材４２０の右端（図面において紙面に向かって左側端部）は、首掛け帯４０１の右側部分に係止する係止部４２１が設けられており、間隔保持部材４２０の左端（図面において紙面に向かって右側端部）は、首掛け帯４０１の右側部分に係止する係止部４２２が設けられている。係止部４２１および４２２は、それぞれ円環状に形成されており、上下方向中央に横長の棒状部４２１ａおよび４２２ａを有している。棒状部４２１ａおよび４２２ａは、首掛け帯４０１の下部帯部４０３ｂおよび４０４ｂの幅と実質的に同一の長さを有しており、下部帯部４０３ｂが右側の係止部４２１の棒状部４２１ａに掛けられており、下部帯部４０４ｂが左側の係止部４２２の棒状部４２２ａに掛けられている。さらに詳しく説明すると、係止部４２１（４２２）の棒状部４２１ａ（４２２ａ）より上側の部分と下側の部分（半円状の部分）では下部帯部４０３ｂ（４０４ｂ）がそれぞれ係止部４２１（４２２）の後側に配置され、係止部４２１（４２２）の上下方向中央位置では、は下部帯部４０３ｂ（４０４ｂ）が棒状部４２１ａ（４２２ａ）の前側に配置される。このように下部帯部４０３ｂおよび４０４ｂが棒状部４２１ａおよび４２２ａに掛けられることにより、間隔保持部材４２０が下部帯部４０３ｂおよび４０４ｂに係止され、間隔保持部材４２０が自重により下方へ落ちることが防止される。
【００５３】
また、間隔保持部材４２０の係止部４２１と４２２とを連結している中間部４２３は細長い棒状をなしており、これによって間隔保持部材４２０の長さは１４０ｍｍとされている。かかる間隔保持部材４２０は、楽器演奏者の胸の位置に配置される。また上述したように、係止部４２１および４２２が下部帯部４０３ｂおよび４０４ｂに係止されるため、楽器演奏者の胸の位置から間隔保持部材４２０が落ちることはない。しかも、係止部４２１および４２２を上述したような構成とすることにより、楽器演奏者は容易に間隔保持部材４２０を上下に移動させることができ、楽器演奏者の体格や好みに合わせて、適切な位置に間隔保持部材４２０を配置することができる。
【００５４】
本実施の形態に係る楽器用ストラップ４００では、楽器演奏者の胸の前側において首掛け帯４０１の左右の部分の間隔を広く確保する間隔保持部材４２０が設けられていることによって、首掛け帯４０１の左右前側の部分の間隔が保持され、首掛け帯３０１が首の付け根から上方へと移動することが抑制される。従って、演奏者の頸部への負担が軽減される。
【００５５】
また、上述したように、間隔保持部材４２０により、首掛け帯４０１の左右前側の部分の間隔が約１４０ｍｍに保持される。つまり、本実施の形態４に係る楽器用ストラップ４００では、間隔保持部材４２０によって首掛け帯３０１の左右前側の部分が近接することが妨げられ、首掛け帯４０１の左右前側の部分の間隔が、間隔保持部材４２０の長さである約１４０ｍｍに維持される。この間隔保持部材４２０の長さは、標準的な体格の楽器演奏者が楽器用ストラップ４００を装着したときに、右側帯部４０３の楽器演奏者の右肩から前側に垂れる部分と、左側帯部４０４の楽器演奏者の左肩から前側に垂れる部分とが実質的に平行になるサイズである。つまり、楽器演奏者の頸部の右側から前方へと延びた首掛け帯４０１の右側部分と、頸部の左側から前方へと延びた首掛け帯４０１の左側部分とが、それぞれ鉛直方向に延びることとなる。このように、首掛け帯４０１の前記右側部分と前記左側部分とが、鉛直方向に延びることにより、楽器の重量によって首掛け帯４０１の右側部分および左側部分のそれぞれにおいて長手方向（鉛直方向）に力が作用し、内向きの力が生じることが防止されるため、首掛け帯４０１が首の付け根から上方へと移動することを抑制する効果がさらに向上する。
【００５６】
また、取り付けられたサクソフォーンの重量により、楽器連結具４１０には下向きの力が作用し、これによって首掛け帯４０１の前端側が下方向へ引っ張られる。これと共に、長さ調節部４１２に接続された補助帯４０２も下方向へ引っ張られる。従って、補助帯４０２を設けることによって、補助帯４０２により首掛け帯４０１が楽器演奏者の背中側から引っ張られることとなり、首掛け帯４０１が首の付け根から上方へ移動することがより一層防止され、楽器演奏者の頸部にかかる負担をより一層軽減することができる。この結果、楽器演奏者の演奏姿勢が前屈みとなることが防止され、楽器演奏者の肺が圧迫されることが防止される。
【００５７】
また、楽器演奏者は、楽器連結具４１０に設けられた長さ調節部４１２の長さを適宜調節し、楽器の上下方向の位置を調節することができる。これによって、楽器演奏者にとって最適な高さに楽器の位置を調節することができる。しかも、首掛け帯の左右の両側部分に長さ調節部を設ける場合では、２つの長さ調節部の長さをそれぞれ調節する必要があったのに比べ、実施の形態４に係る楽器用ストラップ４００では、一つの長さ調節部４１２の長さを調節するだけで楽器の上下方向の位置を容易に調節することができ、楽器演奏者の利便性が向上する。
【００５８】
さらに、楽器演奏者は、補助帯４０２に設けられた下部帯部の長さを調節することにより、補助帯４０２の長さを適宜調節することができる。つまり、補助帯４０２の長さを短くすると、留め具４０５が下方に位置し、補助帯４０２の長さを長くすると、留め具４０５が上方に位置するため、補助帯４０２の長さを適切に調節することにより、楽器演奏者にとって最適な位置（最も楽器の重量を支えやすい位置）に首掛け帯４０１を配置することができる。
【００５９】
（その他の実施の形態）
上述したように、実施の形態１においては、半球状の突起２を平板１に設ける構成について述べたが、突起２の形状は特に限定されない。これらの突起は取付リング５１のストッパの役割を果たせば、立方体、直方体、円錐、三角錐、四角錐等、半球以外の形状であってもよい。
【００６０】
また、実施の形態１においては、突起２をゴム製としたが、楽器取り付けフック５との間で音がしないような部材であれば、その材質は特に限定されない。かかる突起を合成樹脂製とすることもできるし、金属製の本体の表面を合成樹脂等で被覆したものとすることもできる。
【００６１】
また、実施の形態１においては、平板１を中央で折り曲げ、中央から両端へ向かうに従って高くなるように、実質的にＶ字状に形成した構成について述べたが、これに限定されるものではない。これとは別の態様として、図４のように、平板１の中央部にくぼみ４を形成することにより、楽器取り付けフックの移動を防止したものも使用可能である。この場合は、突起２を設けなくともよい。
【００６２】
平板１のくぼみの形状は、特に限定されないが、凹状、半円状などが挙げられる。
【００６３】
ストラップと連結する連結部３は、使用時にストラップと楽器連結具が連結していればよく、形状は特に限定されないが、たとえば、連結具に直接穴を開け、前記穴部に通した支持環６を介してストラップと連結する方法や、平板１の両端を折り曲げ、その折り曲げ部に通した支持環６を介してストラップと連結してもよい。
以上のような楽器連結具によれば、楽器の荷重が演奏者の肩部に分散され、首を締め付けることがなく、首に負担がかからない。また胸の締め付けが軽減されることから、演奏者への負担が減少し、無理な姿勢から開放され、楽な呼吸を達成することが可能となり、音質・音色の向上が期待できる等極めて効果の大きいものである。
また、演奏時における自由な演奏動作を確保できる。
【００６４】
また、実施の形態１〜３においては、首掛け帯１０１、２０１、３０１の下部帯部１０３ｂ、１０４ｂ、２０１ｂ、２０１ｃ、３０３ｂ、３０４ｂを長さ調節が可能な構成としたが、これに限定されるものではなく、下部帯部を長さ調節のできない単なる帯としてもよい。また、実施の形態３および４においては、長さ調節部３１２、４１２を設ける構成としたが、これに限定されるものではなく、長さ調節部３１２、４１２の代わりに長さ調節のできない単なる帯を設けてもよい。
【００６５】
また、上述した実施の形態１〜４に係る楽器用ストラップ１００、２００、３００、４００においては、平板１、間隔保持部材３１１、および間隔保持部材４２０を、首掛け帯１０１、２０１、３０１、４０１の左右前側の部分がそれぞれ平行となるような長さとしたが、これに限定されるものではなく、首掛け帯１０１、２０１、３０１、４０１の左右前側の部分の間隔が下方に向かうに従って広がるようにしてもよい。首掛け帯の左右前側の部分、すなわち楽器演奏者の頸部の右側から前方へと延びた首掛け帯４０１の右側部分と、頸部の左側から前方へと延びた首掛け帯４０１の左側部分とが平行でなくても、両者の間隔が下方に向かうにしたがって狭くなるものでなければ、楽器の重量によって前記右側部分と前記左側部分とに内向きの力が生じることが防止され、首掛け帯１０１が首の付け根から上方へと移動することが抑制される。
【００６６】
また、上述した実施の形態３および４においては、補助帯３０２、４０２を設ける構成について述べたが、これに限定されるものではなく、補助帯３０２、４０２を設けなくてもよい。また、実施の形態３および４においては、楽器連結具３１０、４１０の長さ調節部３１２、４１２の取付金具３１２ｂに補助帯３０２、４０２のフック部３０２ｃが係合される構成としたが、これに限定されるものではなく、補助帯３０２、４０２の先端を長さ調節部３１２、４１２の他の部分に接続してもよいし、楽器に直接接続してもよい。また、実施の形態３の場合では、補助帯３０２の先端を間隔保持部材３１１の左端に接続してもよい。
【００６７】
また、上述した実施の形態１〜４においては、上部帯部１０３ａ、１０４ａ、１０２ａ、２０１ａ、３０３ａ、３０４ａ、３０２ａ、４０３ａ、４０４ａを皮革によってスポンジが覆われた構成としたが、これに限定されるものではなく、合成皮革、ビニール、布等の柔軟性を有する他の材料によってスポンジを覆った構成としてもよいし、スポンジを含まず、柔軟性のある材料だけで構成してもよい。
【００６８】
また、上述した実施の形態１〜４においては、平板１、間隔保持部材３１１、４２０の長さを１４０ｍｍとしたが、これに限定されるものではない。しかしながら、楽器演奏者の頸部の右側から前方へと延びた首掛け帯の右側部分と、頸部の左側から前方へと延びた首掛け帯の左側部分とを実質的に平行とするためには、平板１、間隔保持部材３１１、４２０の長さを１３０ｍｍ〜１５０ｍｍにすることが好ましい。
【００６９】
また、実施の形態１及び２においては、平板１の両端に支持環６が取り付けられ、その支持環６に首掛け帯１０１、２０１の下部帯部１０３ｂ、１０４ｂ、２０１ｂ、２０１ｃが接続される構成となっている。この構成では、支持環６が、その中心軸が前後方向に延びるような位置で安定し、このため、下部帯部１０３ｂ、１０４ｂ、２０１ｂ、２０１ｃは、その平坦面が演奏者の胸部の体表面に沿うように位置することとなる。このような構成ではなく、下部帯部１０３ｂ、１０４ｂ、２０１ｂ、２０１ｃの平坦面が演奏者の胸部の体表面に対して傾斜するような構成とすることもできる。例えば、図１２に示すように、平板の両端の少し内側に前後方向に延びた長穴５０３を設け、その長穴に下部帯部１０３ｂ、１０４ｂ、２０１ｂ、２０１ｃを通す構成とする。このようにすることにより、下部帯部１０３ｂ、１０４ｂ、２０１ｂ、２０１ｃは、長穴によってその幅方向が前後方向となるように方向付けられ、下部帯部１０３ｂ、１０４ｂ、２０１ｂ、２０１ｃを含む首掛け帯１０１、２０１の演奏者の頸部より前側の部分が、演奏者の胸部の体表面に対して傾斜することとなる。このようにすることにより、首掛け帯１０１、２０１による演奏者の胸部に対する圧迫を軽減することが可能となる。
【００７０】
また、実施の形態４においては、間隔保持部材４２０の左右端に係止部４２１，４２２が設けられており、それぞれの係止部４２１，４２２がそれぞれの中心軸方向が前後方向を向くように配置されているが、これに限定されるものではない。図１３は、間隔保持部材の他の構成例を示す斜視図である。図１３に示すように、この例における間隔保持部材６２０は、左右の係止部６２１，６２２が中間部６２３に対して前方に折り曲げられたような構成となっている。このようにすることにより、図１２に示した構成と同様に、下部帯部４０３ｂおよび４０４ｂの平坦面が演奏者の胸部の体表面に対して傾斜することとなり、首掛け帯４０１による演奏者の胸部に対する圧迫を軽減することが可能となる。なお、中間部６２３に対する係止部６２１，６２２の折り曲げ角度は９０度であってもよく、９０度以外の角度であってもよい。また、実施の形態３に係る間隔保持部材３１１もまた、左右端の環状部３１１ａ、３１１ｂをそれぞれ前方に折り曲げた構成とすることが可能であり、この場合においても、首掛け帯３０１による演奏者の胸部に対する圧迫を軽減することができる。
【００７１】
また、実施の形態２においては、首掛け帯２０１の上部帯部２０１ａを全長に渡って幅が均一な帯状の部材とし、裏面２０３が楽器演奏者の頸部後側、肩部及び胸部に密着するような３次元的形状のものとしたが、これに限定されるものではない。図１４は、他の構成例の上部帯部の平面展開図である。図１４に示す上部帯部７０１ａは、幅が均一ではなく、中央部から左右両側へ向かうにしたがって幅が狭くなるようにその上下端縁が曲線状に形成されている。このように上下端縁が曲線状とされていることにより、楽器演奏者がこの上部帯部７０１ａを頸部の後側から胸部へと掛け渡したときに、楽器演奏者の肩が圧迫されない。また、上部帯部７０１ａは平面的に展開したときに扁平な一枚の帯となる形状である。したがって、上部帯部７０１ａを楽器演奏者の頸部後側に掛けたときには、上部帯部７０１ａが頸部の形状に沿って湾曲する。これにより、頸部の後側でのみ裏面７０３が楽器演奏者の身体に密着し、楽器演奏者の頸部よりも前側部分では裏面７０３が体表面に対して傾斜し、上部帯部７０１ａの下端縁７０４が肩や胸に接触することとなる。これにより、図１２、１３に示した平板や間隔保持部材を備える構成と同様に、楽器演奏者の胸部への圧迫を軽減することができる。また、上記のような構成の他にも、上部帯部を、平面的に展開したときに扁平な一枚の帯となるものとし、その上下端縁を直線状として、幅が全長に渡って均一となるような構成としてもよい。
【００７２】
また、実施の形態４に係る楽器用ストラップ４００においては、間隔保持部材４２０の両端に設けた係止部４２１、４２２をそれぞれ円環状に形成し、その上下方向中央に横長の棒状部４２１ａおよび４２２ａを設けた構成について述べたが、これに限定されるものではなく、係止部を四角環状や三角環状等に形成し、その上下方向中央に棒状部を設けてもよい。また、実施の形態４においては、係止部４２１、４２２に横長の棒状部４２１ａおよび４２２ａを設け、棒状部４２１ａおよび４２２ａによって間隔保持部材４２０を下部帯部４０３ｂおよび４０４ｂに係止する構成としたが、これに限定されるものではなく、以下のような構成としてもよい。
（１）間隔保持部材の両端に棒状部を含まない円環状の係止部を設け、首掛け帯４０１の下部帯部を係止部の直径よりも幅の大きいテープとし、下部帯部を係止部に通す構成とする。係止部の直径よりも幅の大きい下部帯部は係止部の位置で絞られる。これにより下部帯部と係止部の間に摩擦力が生じ、下部帯部に間隔保持部材が係止される。
（２）（１）の係止部の直径をさらに小さくし、下部帯部をテープ状ではなく、係止部の直径と概ね同一の直径を有するロープ状とする。
（３）下部帯部に複数の穴を長手方向に沿って設け、連結具の両端を穴に通すことにより、下部帯部に間隔保持部材を係止させる。
【００７３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００７４】
本発明に係る楽器用ストラップは、楽器の荷重が演奏者の肩部に分散され、頸部（首）を締め付けることがなく、首にかかる負担を軽減するという効果を奏するため、サクソフォーン等の楽器用のストラップとして有用である。
【図面の簡単な説明】
【００７５】
【図１】実施の形態１に係る楽器連結具が備える平板の平面図である。
【図２】実施の形態１に係る楽器連結具が備える平板の正面図である。
【図３】平板の一変形例を示す正面図である。
【図４】平板の他の変形例を示す正面図である。
【図５】実施の形態１に係る楽器用ストラップの構成を示す斜視図である。
【図６】実施の形態１に係る楽器用ストラップを楽器演奏者に装着したときの状態を模式的に説明する正面図である。
【図７】実施の形態１に係る楽器用ストラップを楽器演奏者に装着したときの状態を模式的に説明する背面図である。
【図８】実施の形態２に係る楽器用ストラップの構成を示す斜視図である。
【図９】実施の形態３に係る楽器用ストラップの構成を示す斜視図である。
【図１０】実施の形態４に係る楽器用ストラップの構成を示す斜視図である。
【図１１】実施の形態４に係る間隔保持部材の構成を示す正面図である。
【図１２】他の構成例の平板の一端を示す斜視図である。
【図１３】間隔保持部材の他の構成例を示す斜視図である。
【図１４】首掛け帯の上部帯部の他の構成例を示す平面図である。
【符号の説明】
【００７６】
１ 平板
３ 穴
５ フック
６ 支持環
１０ 楽器連結具
１００ 楽器用ストラップ
１０１ 首掛け帯
１０２ 補助帯
１０３ 右側帯部
１０４ 左側帯部
２００ 楽器用ストラップ
２０１ 首掛け帯
２１０ 楽器連結具
３００ 楽器用ストラップ
３０１ 首掛け帯
３０２ 補助帯
３０３ 右側帯部
３０４ 左側帯部
３１０ 楽器連結具
３１１ 間隔保持部材
３１１ａ 環状部
３１１ｂ 環状部
３１２ 長さ調節部
３１３ フック
４００ 楽器用ストラップ
４０１ 首掛け帯
４０２ 補助帯
４０３ 右側帯部
４０４ 左側帯部
４１０ 楽器連結具
４１１ 取付金具
４１２ 長さ調節部
４１３ フック
４２０ 間隔保持部材
【図１】
2008304936.tif 000003
【図２】
2008304936.tif 000004
【図３】
2008304936.tif 000005
【図４】
2008304936.tif 000006
【図５】
2008304936.tif 000007
【図６】
2008304936.tif 000008
【図７】
2008304936.tif 000009
【図８】
2008304936.tif 000010
【図９】
2008304936.tif 000011
【図１０】
2008304936.tif 000012
【図１１】
2008304936.tif 000013
【図１２】
2008304936.tif 000014
【図１３】
2008304936.tif 000015
【図１４】
2008304936.tif 000016